(57)【特許請求の範囲】
【請求項１】
支持パネル（１１）に設けられた装着孔（４２）の周縁部前面に外周部の少なくとも一部が当接される合成樹脂製の吹出口パネル（１３）には、その吹出口パネル（１３）に片持ちで支持されて前記装着孔（４２）内に挿入される平板状の取付け板部（４７，４７′）が連設され、該取付け板部（４７，４７′）に設けられた係合爪（４８）が後方側から支持パネル（１１）に係合される車両用吹出口パネルの取付構造において、
前記吹出口パネル（１３）とは別体にして該吹出口パネル（１３）の後方に配置されるダクト（１４）が、該吹出口パネル（１３）に連結されており、
そのダクト（１４）には、該ダクト（１４）と吹出口パネル（１３）との連結状態で前記取付け板部（４７，４７′）を内方側から支持する補強リブ（５１，５１′）が突設されることを特徴とする、車両用吹出口パネルの取付構造。
【発明の詳細な説明】
【０００１】
【発明の属する技術分野】
本発明は、支持パネルに合成樹脂製の吹出口パネルを取付けるための車両用吹出口パネルの取付構造に関し、特に、支持パネルに設けられた装着孔の周縁部前面に外周部の少なくとも一部が当接される合成樹脂製の吹出口パネルに、その吹出口パネルに片持ちで支持されて前記装着孔内に挿入される平板状の取付け板部が連設され、該取付け板部に設けられた係合爪が後方側から支持パネルに係合される車両用吹出口パネルの取付構造に関する。
【０００２】
【従来の技術】
従来、図８で示すように、インストルメントパネル等の支持パネル１１の装着孔４２に、空調用吹出装置の一部を構成する吹出口パネル１３′を弾発的に取付けるにあたっては、吹出口パネル１３′に一体に連設された取付け板部４７″が装着孔４２に挿入され、前記装着孔４２の周縁部に連なって支持パネル１１に一体に設けられた係止部４３の後端に係合する係合爪４８が前記取付け板部４７″に設けられ、係止部４３に係合爪４８を弾発係合させた取付け板部４７″の剛性を維持するために、補強リブ５２が前記吹出口パネル１３′に一体に設けられている。
【０００３】
【発明が解決しようとする課題】
ところが、前記補強リブ５２を設けるスペースが吹出口パネル１３′側で確保し得ない場合もあり、その場合には、取付け板部４７″の剛性が不充分となる。また補強リブ５２を設けることが可能であるにしても、該補強リブ５２の連設部で吹出口パネル１３′側にヒケが生じないようにするためには、補強リブ５２の肉厚を比較的小さく設定せざるを得ず、取付け板部４７″の剛性を補強リブ５２で確保することができないこともある。
【０００４】
本発明は、かかる事情に鑑みてなされたものであり、吹出口パネル側にヒケ等が発生することを回避しつつ、取付け板部の剛性を充分に確保し得るようにした車両用吹出口パネルの取付構造を提供することを目的とする。
【０００５】
【課題を解決するための手段】
上記目的を達成するために、本発明は、支持パネルに設けられた装着孔の周縁部前面に外周部の少なくとも一部が当接される合成樹脂製の吹出口パネルには、その吹出口パネルに片持ちで支持されて前記装着孔内に挿入される平板状の取付け板部が連設され、該取付け板部に設けられた係合爪が後方側から支持パネルに係合される車両用吹出口パネルの取付構造において、前記吹出口パネルとは別体にして該吹出口パネルの後方に配置されるダクトが、該吹出口パネルに連結されており、そのダクトには、該ダクトと吹出口パネルとの連結状態で前記取付け板部を内方側から支持する補強リブが突設されることを特徴とする。
【０００６】
このような構成によれば、取付け板部の剛性確保のための補強リブを吹出口パネル側には設ける必要がないので、吹出口パネルの表面にヒケ等が発生することを回避して吹出口パネルの表面を良好な状態に保持することが可能であり、しかも吹出口パネルの後方に配置されて同パネルに連結されるダクトに突設した補強リブで取付け板部の剛性を充分に確保することができる。
【０００７】
【発明の実施の形態】
以下、本発明の実施形態を、添付の図面に示した本発明の実施例に基づいて説明する。  図１〜図６は本発明の第１実施例を示すものであり、図１は車両の空調用吹出口装置の斜視図、図２はインストルメントパネルを省略した空調用吹出口装置の分解斜視図、図３はダクトを後方側から見た斜視図、図４は吹出口パネルを後方側から見た斜視図、図５は図１の５−５線拡大断面図、図６は図５の６−６線断面図である。
【０００８】
先ず図１および図２において、乗用車両の車室内に配置される支持パネルとしての合成樹脂から成るインストルメントパネル１１には、たとえば運転席側のサイドドアに近接した位置に配置されるようにして空調用吹出口装置１２が設けられており、この空調用吹出口装置１２は、インストルメントパネル１１に取付けられる内装パネルとしての吹出口パネル１３と、該吹出口パネル１３とは別体にして吹出口パネル１３の後方に配置される構造物としてのダクト１４とを備え、合成樹脂でそれぞれ形成される吹出口パネル１３およびダクト１４は相互に連結される。
【０００９】
図３を併せて参照して、ダクト１４は、横断面形状を矩形とした主ダクト部１５と、その主ダクト部１５の上部に一体に設けられる横断面矩形の補助ダクト部１６とを備え、主ダクト部１５の後端には、空調装置の送風ダクト（図示せず）が連結される。また補助ダクト部１６は、主ダクト部１５よりも横断面積を小さくするとともに長さを短くして形成されており、この補助ダクト部１６の後端には、曇り止め用空気を導くダクト（図示せず）が連結される。しかも補助ダクト部１６には、運転席側のサイドドアのウインドガラスに向けて曇り止め用空気を吹きつけるべく、曇り止め用空気をガイドする複数の上下に延びるフィン１７，１７…が設けられる。
【００１０】
図４を併せて参照して、吹出口パネル１３には、前記ダクト１４の主ダクト部１５に対応した矩形の主吹出口１８と、前記ダクト１４の補助ダクト部１６に対応して矩形に形成されて主吹出口１８の上方に配置される補助吹出口１９が設けられる。
【００１１】
また吹出口パネル１３には、主吹出口１８の周縁に連なって後方側に延びる横断面矩形の主筒部２０と、補助吹出口１９の周縁に連なって後方側に延びる横断面矩形の補助筒部２１とが一体に連設されており、ダクト１４の主ダクト部１５が主筒部２０の後端に連結され、ダクト１４の補助ダクト部１６が補助筒部２１の後端に連結される。
【００１２】
主吹出口１８および主筒部２０には、上下に間隔をあけた位置で左右に延びる複数のフィン２３，２３…が矩形の枠部２４に一体に連設されて成るフィン組立体２２が嵌合される。しかも前記枠部２４の両側外面には、嵌合凹部２５と、その嵌合凹部２５から後方側に延びて後端を開放した案内溝２６とがそれぞれ設けられており、案内溝２６の少なくとも前部は嵌合凹部２５に近づくにつれて浅くなるように形成される。一方、吹出口パネル１３における主筒部２０の両側内面には前記嵌合凹部２５に嵌合し得る嵌合ピン２７がそれぞれ突設されており、フィン組立体２２を主吹出口１８および主筒部２０に嵌合すると、案内溝２６…で案内される吹出口パネル１３側の嵌合ピン２７…が、案内溝２６…の前部の浅い部分を乗り越えるようにして嵌合凹部２５…に嵌合し、それによりフィン組立体２２が吹出口パネル１３に嵌合、固定される。
【００１３】
また吹出口パネル１３には、補助吹出口１９および補助筒部２１内を上下に複数たとえば３つに区画するようにして左右方向に延びるたとえば２つのフィン２８，２８が一体に設けられる。
【００１４】
主筒部２０および主ダクト部１５を相互に接続するとともに補助筒部２１および補助ダクト部１６を相互に接続するために、主筒部２０の後端の両側部から一対ずつ後方に延びる第１係止板部２９，２９…と、補助筒部２１の一側に配置される第２係止板部３０と、補助筒部２１の後端上部から後方に延びる一対の第３係止板部３１，３１とが吹出口パネル１３に一体に設けられ、各係止板部２９，２９…，３０，３１，３１には、矩形の係合孔３２，３２…がそれぞれ設けられる。
【００１５】
一方、ダクト１４には、第１係止板部２９，２９…の係合孔３２，３２…にそれぞれ係合するようにして主ダクト部１５の前部両側面から突出する４つの第１係合突部３３，３３…と、第２係止板部３０の係合孔３２に係合するようにして補助ダクト部１６の前部一側から突出する第２係合突部３４と、第３係止板部３１，３１の係合孔３２，３２にそれぞれ係合するようにして補助ダクト部１６の前部上側から突出する一対の第３係合突部３５，３５とが一体に設けられる。
【００１６】
さらに第２係止板部３０とは反対側の側部において主筒部１５および補助筒部１６間に配置される円筒状のボス３６が吹出口パネル１３に一体に設けられており、そのボス３６の後端に当接する締結板３７がダクト１４に一体に設けられる。
【００１７】
而して第１、第２および第３係止板部２９，２９…，３０，３１，３１の各係合孔３２，３２…に、ダクト１４側の各係合突部３３，３３…，３４，３５，３５をそれぞれ嵌合するとともに、締結板３７に挿通されるねじ部材（図示せず）をボス３６にねじ込むことにより、主筒部２０および主ダクト部１５を相互に連ならせるとともに補助筒部２１および補助ダクト部１６を相互に連ならせるようにして、吹出口パネル１３にダクト１４が連結されることになる。
【００１８】
ところで、ダクト１４の主ダクト部１５内には、主ダクト部１５内の空調用空気の流通を制御するバタフライ形の弁体（図示せず）が回動可能に軸支されており、その弁体の回動位置を定めるための操作部材３８（図１参照）を臨ませるようにして上下に延びるスリット３９が、主吹出口１８の一側で吹出口パネル１３に設けられる。
【００１９】
図５において、インストルメントパネル１１には、空調用吹出口装置１２の吹出口パネル１３を取付けるために、装着孔４２と、該装着孔４２の周縁に連なって後方側に延びる筒状の係止部４３とが設けられる。
【００２０】
吹出口パネル１３の外周部の少なくとも一部は、その主筒部２０及び補助筒部２１を装着孔４２および装着筒部４３内に挿入しつつ、装着孔４２の周縁部前面に当接される。
【００２１】
この吹出口パネル１３の上部における第３係止板部３１，３１には、前記係止部４３の後端に係合する一対ずつ２組の係合爪４４，４４…が一体に設けられる。しかも第３係止板部３１，３１はダクト１４における補助ダクト部１６の上部に当接、支持されているので係合爪４４，４４…は高い剛性を有して係止部４３の上部後端に係合する。
【００２２】
また吹出口パネル１３の主筒部２０においてスリット３９とは反対側の側面に連設された一対の第１係止板部２９，２９には、前記係止部４３の後端に係合する一対ずつ２組の係合爪４５，４５…が一体に設けられる。しかも第１係止板部２９，２９はダクト１４における主ダクト部１５の側部に当接、支持されているので、係合爪４５，４５…は、高い剛性を有して係止部４３の一側後端に係合する。
【００２３】
また吹出口パネル１３においてスリット３９の上下には、剛性を有する一対ずつ２組の係合爪４６，４６…が前記係止部４３の後端に係合するようにして一体に設けられる。
【００２４】
而して上記各係合爪４４，４４…，４５，４５…，４６，４６…を先に係止部４３に係合するようにして吹出口パネル１３の下部を装着孔４２に押込むことで、吹出口パネル１３がインストルメントパネル１１に取付けられるようにするために、吹出口パネル１３の下部には、該パネル１３に片持ちで支持されて装着孔４２内に挿入される一対の平板状の取付け板部４７，４７が一体に連設され、該取付け板部４７，４７には、前記係止部４３の後端に係合する一対ずつ２組の係合爪４８，４８…が設けられる。しかも係合爪４８，４８…を囲むようにして略Ｕ字状の切欠き４９，４９が取付け板部４７，４７に設けられており、各係合爪４８，４８…は、係止部４３の後端に弾発係合することになる。
【００２５】
また各取付け板部４７，４７のインストルメントパネル１１への連設部には、凹部５０，５０が設けられており、取付け板部４７，４７のインストルメントパネル１１への連設部の肉厚を小さくし、吹出口パネル１３の成形時のヒケ発生を防止するようにしている。  さらに吹出口パネル１３の後方に配置されて前記各取付け板部４７，４７よりも内方に位置するダクト１４の主ダクト部１５には、前記各組の係合爪４８，４８…の両側で取付け板部４７，４７に内方側から当接して取付け板部４７，４７を支持する一対ずつ２組の補強リブ５１，５１…が突設される。
【００２６】
次にこの第１実施例の作用について説明すると、吹出口パネル１３の下部には装着孔４２内に挿入される一対の取付け板部４７，４７が一体に連設され、インストルメントパネル１１に後方側から弾発係合する一対ずつ２組の係合爪４８，４８…、この実施例では装着孔４２の周縁に連なって後方側に延びる筒状の係止部４３の後端に弾発係合する一対ずつ２組の係合爪４８，４８…が取付け板部４７，４７に設けられるが、吹出口パネル１３の後方に配置されて前記各取付け板部４７，４７よりも内方に位置するダクト１４の主ダクト部１５には、各組の係合爪４８，４８…の両側で取付け板部４７，４７に内方側から当接して取付け板部４７，４７を内方側から支持する一対ずつ２組の補強リブ５１，５１…が突設されている。
【００２７】
したがって吹出口パネル１３側に補強リブを設けることがないので、吹出口パネル１３の表面にヒケ等が発生することを回避して吹出口パネル１３の表面を良好な状態に保持することが可能であり、ダクト１４に設けられる補強リブ５１，５１…で取付け板部４７，４７の剛性を充分に確保することができる。
【００２８】
ところで上記第１実施例では、係合爪４８，４８…が係止部４３に弾発係合するようにしたが、図７で示す第２実施例のように、係合爪４８，４８の周囲に切欠き４９が設けられないことにより、係止板部４７′に係合爪４８，４８が剛性的に設けられる場合にも本発明を適用することが可能であり、この場合、ダクト１４の主ダクト部１５には、係合爪４８，４８に対応する部分に配置される補強リブ５１′を含む複数たとえば３本の補強リブ５１，５１…が突設されるようにしてもよい。
【００２９】
以上、本発明の実施例を説明したが、本発明は上記実施例に限定されるものではなく、特許請求の範囲に記載された本発明を逸脱することなく種々の設計変更を行うことが可能である。
【００３０】
たとえば上記実施例では、支持パネルとしてのインストルメントパネル１１に設けられる空調用吹出口装置１２に関連して説明したが、本発明は、支持パネルに取付けられる合成樹脂製の吹出口パネルに関連して広く実施することができる。
【００３１】
【発明の効果】
以上のように本発明によれば、車両用吹出口パネルの取付構造において、合成樹脂製の吹出口パネルとは別体にして該吹出口パネルの後方に配置されるダクトが、該吹出口パネルに連結されており、そのダクトには、該ダクトと吹出口パネルとの連結状態で該パネルの取付け板部を内方側から支持する補強リブが突設されるので、吹出口パネルに片持ちで支持される平板状の取付け板部の剛性確保のための補強リブを、吹出口パネル側には設ける必要がなく、従って、吹出口パネルの表面にヒケ等が発生することを回避して吹出口パネルの表面を良好な状態に保持することが可能であり、しかも吹出口パネルの後方に配置されて同パネルに連結されるダクトに突設した補強リブで取付け板部の剛性を充分に確保することができる。
【図面の簡単な説明】
【図１】  第１実施例を示すものであって車両の空調用吹出口装置の斜視図である。
【図２】  インストルメントパネルを省略した空調用吹出口装置の分解斜視図である。
【図３】  ダクトを後方側から見た斜視図である。
【図４】  吹出口パネルを後方側から見た斜視図である。
【図５】  図１の５−５線拡大断面図である。
【図６】  図５の６−６線断面図である。
【図７】  第２実施例の図６に対応した断面図である。
【図８】  従来技術の図５に対応した断面図である。
【符号の説明】
１１・・・支持パネルとしてのインストルメントパネル
１３・・・吹出口パネル
１４・・・ダクト
４２・・・装着孔
４７，４７′・・・取付け板部
４８・・・係合爪
５１，５１′・・・補強リブ
【図１】
0003725055.tif 000002
【図２】
0003725055.tif 000003
【図３】
0003725055.tif 000004
【図４】
0003725055.tif 000005
【図５】
0003725055.tif 000006
【図６】
0003725055.tif 000007
【図７】
0003725055.tif 000008
【図８】
0003725055.tif 000009